【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
ベースフィルム面に、ＵＨＦ帯またはマイクロ波帯の所定周波数の電波に共振しＩＣチップのインピーダンスに整合する平面アンテナ素子が形成され、当該平面アンテナ素子に前記ＩＣチップが装着されている非接触ＩＣタグにおいて、前記平面アンテナ素子をベースフィルムと共に一定位置の切断予定線から切断後、前記ＩＣチップが残存する側の平面アンテナ素子が、ＵＨＦ帯またはマイクロ波帯の前記所定周波数の電波に共振し、前記ＩＣチップのインピーダンスに整合するようにされていることを特徴とする非接触ＩＣタグ。
【請求項２】
切断前の前記平面アンテナ素子が、主として１波長ループアンテナとして動作し、切断後の前記ＩＣチップが残存する側の平面アンテナ素子が半波長ダイポールアンテナとして動作することを特徴とする請求項１記載の非接触ＩＣタグ。
【請求項３】
切断前の前記平面アンテナ素子が、切断後の前記半波長ダイポールアンテナの一部を利用し、且つ、前記半波長ダイポールアンテナの残りの一部が切断前には機能しないように、前記切断予定線から切断後に前記ＩＣチップの残存しない側の前記ベースフィルム面に短絡部が設けられていることを特徴とする請求項１または請求項２記載の非接触ＩＣタグ。
【請求項４】
前記ベースフィルムの外面にプリンタ印字可能なように紙基材が積層され、当該紙基材と前記ベースフィルムを貫通するように前記切断予定線が形成されていることを特徴とする請求項１〜３の何れか一項に記載の非接触ＩＣタグ。
【請求項５】
前記切断予定線の両側の前記紙基材の印字可能面には、前記ＩＣチップのメモリに記録されている内容と少なくとも一部が共通な商品管理事項が印字されていることを特徴とする請求項４記載の非接触ＩＣタグ。
【手続補正２】
【補正対象書類名】明細書
【補正対象項目名】０００５
【補正方法】変更
【補正の内容】
【０００５】
ところで、従来の商品の使用方法として、本来サイズを２つに切断して使用する場合がある。この場合、切断前後において同等の機能が求められる場合がある。
図６を参照してその例を説明する。例えば、紳士靴や婦人靴の場合、納入品の検品等の作業の後、良品については、品番やサイズ、色柄、価格等を本来サイズの商品ラベル２２に記載し、靴入りの靴箱２１に当該記載した商品ラベル２２を添付する（図６（Ａ））。
商品ラベルは横長等の形状であって、靴箱に貼付して残す部分２２ａと、ミシン目線５等から切り取りして靴に吊るす部分２２ｂとからなっている。当該両部分に、ほぼ同様の内容をプリンタで印字して靴箱２１に添付する。靴を店頭に陳列する際は吊るし部分２２ｂを切り取って靴２０に付け（図６（Ｃ））、靴箱の方は在庫の確認等のために残った部分２２ａを貼り付けた状態で、所定場所に集積して保存する（図６（Ｂ））。店頭では、吊るし部分２２により内容を確認することができる。
【手続補正３】
【補正対象書類名】明細書
【補正対象項目名】００１６
【補正方法】変更
【補正の内容】
【００１６】
本発明の非接触ＩＣタグ（請求項２）は、切断前の平面アンテナ素子が、主として１波長ループアンテナとして動作し、切断後のＩＣチップが残存する側の平面アンテナ素子が半波長ダイポールアンテナとして動作するので、切断前後において適切な通信距離を確保できる。
本発明の非接触ＩＣタグ（請求項３）は、切断前の平面アンテナ素子が、切断後の半波長ダイポールアンテナの一部を利用し、且つ、半波長ダイポールアンテナの残りの一部が切断前には機能しないように、切断予定線から切断後にＩＣチップの残存しない側のベースフィルム面に短絡部が設けられているので、切断前の状態において、ループアンテナとしての動作とダイポールアンテナとしての動作が競合して、総合的に利得の低下することを避けることができる。
【手続補正４】
【補正対象書類名】明細書
【補正対象項目名】００１９
【補正方法】変更
【補正の内容】
【００１９】
図１は、非接触ＩＣタグの平面アンテナ素子の例を示す図であって、図１（Ａ）は切断前、図１（Ｂ）は、一定位置の切断予定線５から切断した後の状態を示す。
本実施形態の非接触ＩＣタグ１の平面アンテナ素子４は、全体が略ループアンテナ形状にされている。平面アンテナ素子４は、プラスチック基材であるベースフィルム１１面に形成され、アンテナ素子４とＩＣチップ３面は、表面保護シートで全体が被覆されている。
ＩＣチップ３の装着部から短絡部４３，４４を経て左側に屈折してループを形成する線路（太い実線）は、１波長ループアンテナ４１として機能する部分であり、一定位置の切断予定線５の右側のＩＣチップ３に通じる線路を含めたループ線路の全体の合計長が、約１波長になるようにされている。切断前においては、短絡部４３，４４によりＩＣチップ３に短絡するので、線路４５，４６の部分はアンテナとして機能しないことになる。
【手続補正５】
【補正対象書類名】明細書
【補正対象項目名】００２５
【補正方法】変更
【補正の内容】
【００２５】
図１（Ｂ）のように、本実施形態の非接触ＩＣタグ１を一定位置の切断予定線５から切断した際の平面アンテナ素子４２は、小サイズの非接触ＩＣタグ２として機能する。すなわち、切断予定線５で切断する前の大サイズの状態では、アンテナ４１とアンテナ４２の２つのアンテナが１つの負荷に接続して動作し、切断後の小サイズの状態では、アンテナ４２のみが動作することになる。サイズが大きい状態では、通信距離も長く、サイズが小さい状態では、通信距離は短縮される。切断した後の図１（Ａ）において、左側の部分はＩＣチップ３が残らないので、非接触ＩＣタグとしては機能しない。
【手続補正６】
【補正対象書類名】明細書
【補正対象項目名】００２７
【補正方法】変更
【補正の内容】
【００２７】
本実施形態の非接触ＩＣタグ１（切断前）と切断後の小サイズ非接触ＩＣタグ２は、ＩＣチップ３のインピーダンスとマッチングが取れるように調製されている。アンテナのインピーダンスのマッチングは、アンテナパターンの形状や、基材である誘電体や磁性体の組み合わせでなされるが、本実施形態ではアンテナパターンの形状によりマッチングがなされている。具体的には、ヘアピンマッチ回路（インピーダンスを複素数にするための回路）４７等により整合するようにされている。インピーダンスが整合しない場合は、給電部で電波が反射する問題が生じる。
【手続補正７】
【補正対象書類名】明細書
【補正対象項目名】００３２
【補正方法】変更
【補正の内容】
【００３２】
図５は、本実施形態の非接触ＩＣタグの外観図である。図５（Ａ）は全体サイズの平面図である。非接触ＩＣタグ１は、紙ラベルで覆われた形態なので、ＩＣタグのアンテナ４は外面からは実際には見えない。一定位置の切断予定線５は、ＩＣ タグのベースフィルム１１と表面保護シート、紙ラベルを一緒に貫通するようにミシン目線等により形成されている。切断予定線５は、通常、非接触ＩＣ タグ１の全体を分断するように形成され、その一方側は比較的に大きな面積を有し、他方側はやや小さな面積に形成されることが多い。切断予定線５を介する非接触ＩＣタグ１の両側の紙ラベル面には、ＩＣ チップ３のメモリに記録されている内容と少なくとも一部が共通な商品管理事項８が印字されている。商品管理事項８とは、商品名や製造メーカー名、サイズや形状、価格等の事項である。
【手続補正８】
【補正対象書類名】明細書
【補正対象項目名】００３７
【補正方法】変更
【補正の内容】
【００３７】
次いで、金属層をエッチングして所定のパターンに形成する。エッチング後、ベースフィルム１１のダイポールアンテナ２にＩＣチップ３を異方導電性接着フィルム等により装着した後、表面保護シートをラミネートし、ベースフィルム裏面は粘着剤加工を行う。
ＩＣチップ３には、ＵＨＦ帯やマイクロ波帯対応ＩＣチップを使用する。例えば、米インピンジ社「Ｍｏｎｚａ」、米テキサス・インスツルメンツ社「ＵＨＦ−ＩＣ−０１」、フィリップス・エレクトロニクス社「ＵＣＯＤＥ ＥＰＣＧ ２」、等がある。
切断予定線５は、紙製のブランドタグを表面または表裏面に貼り付けした後、アンテナ線を切断しないように、アンテナ線を検知しながらミシン目線等により数値制御して形成することが必要になる。
【手続補正９】
【補正対象書類名】明細書
【補正対象項目名】００４０
【補正方法】変更
【補正の内容】
【００４０】
この商品管理事項８を印字済みの、ブランドタグを前記のアンテナシートの両面に、二つ折りしてラベル貼りした。その際、剥離紙は除去した。これにより、本実施例の非接触ＩＣタグ１が完成した。完成後の１つの非接触ＩＣタグ１は、全長Ｌが１００ｍｍ、幅Ｈが４０ｍｍとなった。なお、ラベル貼りの後、アンテナ線路を損傷しないように注意してミシン目線による切断予定線５と紐通し孔９を形成した。
【手続補正１０】
【補正対象書類名】明細書
【補正対象項目名】００４４
【補正方法】変更
【補正の内容】
【００４４】
【図１】非接触ＩＣ タグの平面アンテナ素子の例を示す図である。
【図２】切断前のＩＣタグのアンテナ利得とリターンロスを示す図である。
【図３】切断後のＩＣタグのアンテナ利得とリターンロスを示す図である。
【図４】非接触ＩＣタグの平面アンテナ素子の他の例を示す図、
【図５】非接触ＩＣタグの平面外観図である。
【図６】従来の商品ラベルの使用方法を説明する図である。